(57)【特許請求の範囲】
【請求項１】
打球面を有し、前方側に位置するフェース部（２）と、
前記フェース部（２）よりも後方側に位置するバック部（５）と、
前記フェース部（２）と前記バック部（５）とを接続するソール部（３）およびクラウン部（４）とを備えたゴルフクラブヘッドであって、
前記ソール部（３）において前記フェース部（２）側に位置するフェース側部分（３ａ）の質量を、前記ソール部（３）において前記バック部（５）側に位置するバック側部分（３ｂ）の質量よりも大きくし、かつ前記フェース部（２）から前記バック部（５）に向かう前後方向の前記ゴルフクラブヘッドの最大幅（Ｗ）を、前記ゴルフクラブヘッドの上下方向の最大高さ（Ｈ）よりも大きくし、
前記フェース側部分（３ａ）の最大厚みを前記バック側部分（３ｂ）の最大厚みよりも大きくすることで、前記フェース側部分（３ａ）の質量を前記バック側部分（３ｂ）の質量よりも大きくし、
前記バック側部分（３ｂ）が前記フェース側部分（３ａ）よりも前記クラウン部（４）側に近づくように前記バック側部分（３ｂ）の底面を前記フェース側部分（３ａ）の底面よりも高い位置に配置し
前記フェース側部分（３ａ）は、前記ゴルフクラブヘッドのトゥ部（８）からヒール部（９）に向かって延びる帯状部分であり、
前記バック側部分（３ｂ）と前記フェース側部分（３ａ）との間に、前記トゥ部（８）から前記ヒール部（９）に向かって延びかつ前記クラウン部（４）側に立上がる傾斜部を設け、
前記バック側部分（３ｂ）は、前記傾斜部の上端部から前記バック部（５）に達するように延在し、
前記フェース側部分（３ａ）と前記傾斜部と前記バック側部分（３ｂ）とで、前記ソール部（３）の底面に段差部を形成し、
前記ゴルフクラブヘッドの前後方向における前記バック側部分（３ｂ）の最大幅（Ｗ２）を、前記前後方向における前記フェース側部分（３ａ）の最大幅（Ｗ１）よりも大きくした、ゴルフクラブヘッド。
【請求項２】
前記ゴルフクラブヘッドは、金属製中空外殻構造を有し、地面に置いたボールを打球するユーティリティタイプのゴルフクラブのヘッドである、請求項１に記載のゴルフクラブヘッド。
【請求項３】
前記ゴルフクラブヘッドの前記フェース部の上下方向の慣性モーメントを１０００ｇ・ｃｍ２以上３０００ｇ・ｃｍ２以下とした、請求項１または請求項２に記載のゴルフクラブヘッド。
【請求項４】
請求項１から請求項３のいずれかに記載のゴルフクラブヘッドを備えた、ゴルフクラブ。
【発明の詳細な説明】
【技術分野】
【０００１】
本発明は、ゴルフクラブヘッドおよびゴルフクラブに関し、特に、重心深度は浅くしながらフェース上下方向の慣性モーメントは大きくしたゴルフクラブヘッドおよび該ゴルフクラブヘッドを備えたゴルフクラブに関する。
【背景技術】
【０００２】
一般に、アイアンタイプのゴルフクラブ（以下「アイアンクラブ」ともいう）は、フェアウェイウッドに比べてクラブ長さが短いため、ボールの打点は安定する。また、アイアンクラブのヘッド（以下「アイアンヘッド」ともいう）のヘッド幅は、ウッドタイプのゴルフクラブ（以下「ウッドクラブ」ともいう）のヘッド（以下「ウッドヘッド」ともいう）のヘッド幅よりも小さいので、アイアンヘッドでは、フェースからヘッド重心までの距離である重心深度も自然と小さくなる。それに伴って、ヘッド重心からフェース面（打球面）に向けて引いた法線とフェース面との交点であるスイートスポットの位置も、アイアンヘッドの方がウッドヘッドよりも自然と低くなり、地上に置いたボールをスイートスポットあるいはその近傍で打球できる確率も高くなる。
【０００３】
しかしながら、アイアンヘッドは、ヘッド幅が小さいが故にフェース上下方向の慣性モーメントが小さくなり、ボール打球点の少しのバラツキでもバックスピン量、飛出し角に影響を及ぼし、ひいては飛距離の低下やバラツキを伴うという欠点がある。
【０００４】
加えて、アイアンクラブの場合、クラブ長さが短いため、クラブと地面とのなす角度が大きくなる。また、スイング中の回転半径も小さいことから、打球前後のヘッドと地面との距離は、円弧と平面との関係の如く一定ではない。その状況下で地上にあるボールを打球することから、アイアンクラブでは、打球前後に地面と接触、更に地中にヘッドが潜るという状況が生じ易い。その際のヘッドに対する地面の抵抗を軽減し、地中からヘッドが抜け出し易くするためにも、アイアンヘッドのヘッド幅を広げることは不適切であるとされてきた。
【０００５】
その一方、フェアウェイウッド等ウッドクラブは、アイアンクラブに比べてクラブ長さが長くコントロールし難いため、アイアンクラブと比較すると、ボールの打点は不安定である。また、ウッドヘッドのヘッド幅は、アイアンヘッドのヘッド幅よりも広いので、ウッドヘッドでは、フェースからヘッドの重心までの距離である重心深度も自然と大きくなる。それに伴って、ヘッドの重心からフェース面に向けて引いた法線とフェース面との交点、いわゆるスイートスポットの位置も自ずと高くなり、地上のボールを打球する際、スイートスポットより下の位置で打球する頻度が増えることとなる。その結果、不要なバックスピン量の増加や、ボールの飛出し角の低下等が生じ、いわゆる吹き上がりの弾道となり易く、やはり本来の飛距離が得られ難くなる。
【０００６】
しかしながら、ウッドヘッドの場合、ヘッド幅が大きいが故にフェース上下方向の慣性モーメントが大きくなり、ボール打球点の不安定さをカバーすることができる。加えてウッドクラブは長いクラブであるので、クラブと地面とのなす角度が比較的小さく、スイング中の回転半径も大きいことから、打球前後のヘッドと地面との距離は、直線と平面との関係に近い。この状況下で地上にあるボールを打球すると、打球前後に地面に接触したとしても、ヘッドが地中に潜るという状況は少ない。それ故に、ヘッド幅を広くすることが可能であった。
【０００７】
上記のように、アイアンクラブとウッドクラブのいずれも、飛距離の点で固有の欠点を有していることから、近年、両者の中間の位置付けのゴルフクラブである、ユーティリティ・ハイブリッドタイプのゴルフクラブ（以下「ユーティリティクラブ」ともいう）が提案されている。
【０００８】
上記ユーティリティクラブは、アイアンクラブとウッドクラブの中間の特性を有するゴルフクラブであり、そのクラブ長さはアイアンクラブと同等か、もしくはフェアウェイウッドとアイアンクラブとの中間であり、ヘッド幅に関しても両者の中間に位置する。
【０００９】
そのため、アイアンクラブよりスイングスピードが上がることによる飛距離の増加を期待でき、またヘッド幅がアイアンクラブより大きいためフェース上下方向の慣性モーメントも増大し、打点のバラツキによる飛距離のバラツキや低下をも軽減することができる。さらに、フェアウェイウッドより打点の安定性の向上も期待できる。
【００１０】
なお、上記ユーティリティクラブに関しては、たとえば特開２００１−２９３１１０号公報、特開２００１−３４０５０１号公報、特開２００３−４７６７８号公報等に記載されている。
【特許文献１】特開２００１−２９３１１０号公報
【特許文献２】特開２００１−３４０５０１号公報
【特許文献３】特開２００３−４７６７８号公報
【発明の開示】
【発明が解決しようとする課題】
【００１１】
クラブ長さとスイング形態の関係に鑑み、従来のユーティリティクラブのヘッド幅は、フェアウェイウッドとアイアンクラブの中間に設定されている。そのため、従来のユーティリティクラブのヘッド幅はフェアウェイウッドのヘッド幅より小さくなり、それに伴いユーティリティクラブのヘッドのフェース上下方向の慣性モーメントもフェアウェイウッドのヘッドのフェース上下方向の慣性モーメントより小さくなる。その結果、従来のユーティリティクラブは、フェアウェイウッドと比較すると、上下の打点のバラツキに対しては弱く、やはり飛距離の低下やバラツキを生じる。
【００１２】
他方、アイアンクラブと比較すると、従来のユーティリティクラブのヘッド幅がアイアンヘッドのヘッド幅よりも大きいのでユーティリティクラブの重心深度がアイアンクラブの重心深度より大きくなり、それに伴いユーティリティクラブのスイートスポットの位置が高くなる。その結果、アイアンクラブと比較すると、従来のユーティリティクラブで地上にあるボールを打球する際に、スイートスポットで打球することが困難となり、オフセンター打撃の確率が増大し、結果的に飛距離のバラツキや低下を生じさせる。
【００１３】
本発明は、上記のような課題を解決するためになされたものであり、飛距離の向上および安定化が可能となるゴルフクラブヘッドおよび該ゴルフクラブヘッドを備えたゴルフクラブを提供することを目的とする。
【課題を解決するための手段】
【００１４】
本発明に係るゴルフクラブヘッドは、打球面を有し前方側に位置するフェース部と、フェース部よりも後方側に位置するバック部と、フェース部とバック部とを接続するソール部およびクラウン部とを備える。そして、１つの局面では、ソール部においてフェース部側に位置するフェース側部分の質量を、ソール部においてバック部側に位置するバック側部分の質量よりも大きくし、かつフェース部からバック部に向かう前後方向のゴルフクラブヘッドの最大幅を、ゴルフクラブヘッドの上下方向の最大高さよりも大きくする。ここで、上記フェース側部分は、ソール部底面の前方側端部と後方側端部を結ぶ直線の中点を通りトゥ部からヒール部に向かうトゥ・ヒール方向に延びるソール部底面の中心線よりもフェース部側に位置する部分であり、バック側部分は、上記中心線よりもバック部側に位置する部分である。
【００１５】
上記フェース側部分の質量をバック側部分の質量よりも大きくする手法としては、フェース側部分に錘部材を装着する等様々な手法が考えられるが、たとえば上記フェース側部分の最大厚みをバック側部分の最大厚みよりも大きくすることで、フェース側部分の質量をバック側部分の質量よりも大きくすることが考えられる。また、フェース側部分の厚みを全体的にバック側部分の厚みより大きくしてもよい。
【００１６】
上記バック側部分がフェース側部分よりもクラウン部側に近づくようにバック側部分の底面をフェース側部分の底面よりも高い位置に配置してもよい。たとえば、バック側部分の底面全面を、フェース側部分の底面よりも高い位置に配置することが考えられる。
【００１７】
上記フェース側部分を、ゴルフクラブヘッドのトゥ部からヒール部に向かって延びる帯状部分で構成し、上記バック側部分とフェース側部分との間に、トゥ部からヒール部に向かって延びかつクラウン部側に立上がる傾斜部を設け、バック側部分を、該傾斜部の上端部からバック部に達するように延在させ、フェース側部分と傾斜部とバック側部分とで、ソール部の底面に段差部を形成するようにしてもよい。また、上記ゴルフクラブヘッドの前後方向におけるバック側部分の最大幅を、前後方向におけるフェース側部分の最大幅より大きくしてもよい。
【００１８】
本発明のゴルフクラブヘッドは、金属製中空外殻構造を有し、地面に置いたボールを打球するユーティリティタイプのゴルフクラブのヘッドに有用である。
【００１９】
本発明に係るゴルフクラブヘッドは、他の局面では、ソール部においてフェース部側に位置するフェース側部分の質量を、ソール部においてバック部側に位置するバック側部分の質量よりも大きくしてゴルフクラブヘッドの重心位置をフェース部側に近づけるようにし、かつゴルフクラブヘッドのフェース部の上下方向の慣性モーメントを１０００ｇ・ｃｍ２以上３０００ｇ・ｃｍ２以下とする。
【００２０】
本発明に係るゴルフクラブは、上記のようなゴルフクラブヘッドを備える。
【発明の効果】
【００２１】
本発明の１つの局面のゴルフクラブヘッドでは、ソール部においてフェース部側に位置するフェース側部分の質量を、ソール部においてバック部側に位置するバック側部分の質量よりも大きくしているので、ゴルフクラブヘッドの重心位置をフェース部側にシフトさせることができ、ゴルフクラブヘッドの重心深度を浅くすることができる。それにより、スイートスポットの位置を低くすることができ、スイートスポットあるいはその近傍で打球できる確率を高めることができる。その結果、ゴルフクラブヘッドの上下方向の打点位置のバラツキを低減することができる。その上、フェース部からバック部に向かう前後方向のゴルフクラブヘッドの最大幅を、ゴルフクラブヘッドの上下方向の最大高さより大きくしているので、ゴルフクラブヘッドのフェース上下方向の慣性モーメントを大きくすることもできる。それにより、打球後のボールの安定した飛出しを実現することができる。以上より、飛距離の向上および安定化が可能となる。
【００２２】
本発明の他の局面のゴルフクラブヘッドの場合も、フェース側部分の質量をバック側部分の質量よりも大きくし、かつゴルフクラブヘッドのフェース部の上下方向の慣性モーメントを１０００ｇ・ｃｍ２以上３０００ｇ・ｃｍ２以下と大きくしているので、１つの局面の場合と同様に、飛距離の向上および安定化が可能となる。
【００２３】
本発明のゴルフクラブは、上記のようなゴルフクラブヘッドを備えているので、飛距離の向上および安定化が可能なものとなる。
【発明を実施するための最良の形態】
【００２４】
以下、本発明の実施の形態について図１〜図７を用いて説明する。本実施の形態のゴルフクラブは、後述するゴルフクラブヘッドと、シャフトと、グリップとを備える。なお、シャフトおよびグリップとしては周知のものを採用可能である。また、本実施の形態のゴルフクラブは、地面に置いたボールを打球するユーティリティタイプのゴルフクラブとして有用である。このユーティリティクラブのクラブ長さは、たとえば３９〜４１インチ（約９９１ｍｍ〜約１０４１ｍｍ）程度である。
【００２５】
図１は、本実施の形態におけるゴルフクラブヘッド１の正面図であり、図２は、本実施の形態におけるゴルフクラブヘッド１の平面図であり、図３は、本実施の形態におけるゴルフクラブヘッド１をソール部側から見た斜視図である。
【００２６】
図１に示すように、本実施の形態におけるゴルフクラブヘッド１は、金属製中空外殻構造のヘッド本体を備える。該ヘッド本体の材料としては、チタンやチタン合金をはじめとする様々な金属材料を使用可能である。なお、ゴルフクラブヘッド１の内部空間には、典型的には物質を充填しないが、上記内部空間に発泡材等の物質を充填することも考えられる。また、複数のパーツを組合せてヘッド本体を作製してもよく、金属部材と非金属部材のような異種材料の部材を組合せてヘッド本体を作製することも可能である。
【００２７】
ヘッド本体は、打球面を有し前方側に位置するフェース部２と、フェース部よりも後方側に位置するバック部５と、フェース部２とバック部５とを接続するソール部３およびクラウン部４と、バック部５以外の部分でソール部３とクラウン部４とを接続するサイド部とを備える。
【００２８】
本実施の形態のゴルフクラブヘッド１では、ソール部３を３つの領域に分割している。具体的には、ソール部３を、フェース部２側に位置するフェース側部分３ａと、バック部５側に位置するバック側部分３ｂと、これらの間の境界領域に分割している。そして、フェース側部分３ａの質量を、バック側部分３ｂの質量よりも大きくする。それにより、フェース部２側に多くの質量を配置することができ、ゴルフクラブヘッド１の重心の位置をフェース部２側に近づけることができる。その結果、ゴルフクラブヘッド１の重心深度（スイートスポットからゴルフクラブヘッドの重心位置までの深さの距離（ｍｍ））を浅くすることができ、ゴルフクラブヘッド１の重心からフェース部２の打球面に向けて引いた法線と打球面との交点であるスイートスポット６の位置（スイートスポット高さ：ソールのレベルラインからスイートスポット６までの距離）を低くすることができる。このためスイートスポット６あるいはその近傍で打球できる確率を高めることができ、フェース部２の上下方向の打点位置のバラツキを低減することができる。つまり、飛距離の向上および安定化が可能となる。
【００２９】
なお、打球面のロフト角（打球面とソール底面とのなす角度を９０度から引いた角度：オリジナルロフト）としては、たとえば９度〜２９度の範囲内の角度を選択することが考えられるが、１９度〜２２度程度とすればよい。このロフト角によってもスイートスポット６の位置は変化するので、適切なロフト角を選択すべきである。
【００３０】
上述のようにフェース側部分３ａの質量をバック側部分３ｂの質量よりも大きくする手法としては、フェース側部分３ａに錘部材を装着したり、フェース側部分３ａをバック側部分３ｂよりも比重の大きな材料で構成したり、フェース側部分３ａの厚みをバック側部分３ｂの厚みよりも大きくする等様々な手法が考えられる。
【００３１】
図４に、図１に示すゴルフクラブヘッド１の断面図を示す。図４に示すように、本実施の形態では、フェース側部分３ａの厚みｔ１をバック側部分３ｂの厚みｔ２よりも大きくしている。たとえば、フェース側部分３ａの厚みｔ１を３〜４ｍｍ程度とし、バック側部分３ｂの厚みｔ２を０．８ｍｍ程度とすることが考えられる。なお、バック側部分３ｂの厚みｔ２は、クラウン部４やサイド部の厚みと同等の厚みとすればよい。
【００３２】
図４の例では、フェース側部分３ａの厚みｔ１を全体的にバック側部分３ｂの厚みｔ２よりも大きくしているが、局所的に厚み関係が逆転してもよい。また、フェース側部分３ａの最大厚みをバック側部分３ｂの最大厚みより大きくした場合も、フェース側部分３ａの質量をバック側部分３ｂの質量より大きくすることができる。
【００３３】
図１および図４に示すように、本実施の形態のゴルフクラブヘッド１は、ソール部３の底面に段差部を有する。図１および図４の例では、バック側部分３ｂをフェース側部分３ａよりもクラウン部４側（上側）に配置し、バック側部分３ｂの底面をフェース側部分３ａの底面よりも高い位置に配置している。具体的には、バック側部分３ｂの底面をフェース側部分３ａの底面よりも５ｍｍ程度以上高い位置に配置している。その結果、ソール部３の底面に比較的大きな段差部が設けられることとなる。このようにバック側部分３ｂをクラウン部４側に配置することにより、打球時に、バック側部分３ｂが地面と接触するのを抑制することができる。それにより、打球時のソール部３と地面の接触状況をアイアンクラブのそれに近くすることができ、振り抜けし易いことからゴルファーにとって操作性が良好となり、かつ安定した打球の出るゴルフクラブとすることができる。
【００３４】
なお、図１および図４の例では、バック側部分３ｂの底面全面を、フェース側部分３ａの底面よりも高い位置に配置している。また、バック側部分３ｂにも段差部を設け、バック側部分３ｂにおけるバック部５近傍に位置する後端部領域を、該後端部領域とフェース側部分３ａとの間に位置する前方側領域よりもクラウン部４側に配置している。これ以外にも様々な段差形状をソール部３の底面に形成することが考えられる。また、図１および図４の例では、ソール部３の底面に２つの段差部を形成しているが、３つ以上の段差部を形成してもよい。また、段差部を形成する各領域の形状も任意に選択可能である。
【００３５】
図４に示すように、本実施の形態のゴルフクラブヘッド１では、フェース部２からバック部５に向かう前後方向のゴルフクラブヘッド１の最大幅Ｗを、ゴルフクラブヘッド１の上下方向の最大高さＨよりも大きくしている。それにより、ゴルフクラブヘッド１のフェース上下方向の慣性モーメント（ゴルフクラブヘッドのトゥ・ヒール方向軸を軸としたクラウン・ソール方向の重心回りの慣性モーメント：図７参照）を大きくすることができる。具体的には、たとえばゴルフクラブヘッド１のフェース部２の上下方向の慣性モーメントを１０００ｇ・ｃｍ２以上３０００ｇ・ｃｍ２以下程度と大きくすることができる。それにより、スイートスポット６から外れた位置での打撃であるオフセット打撃時においても、安定したボールの飛出しを実現することができる。このことも、飛距離の低下やバラツキの低減に寄与し、飛距離の安定化を図ることができる。
【００３６】
以上より、本実施の形態のゴルフクラブヘッド１によれば、飛距離の向上および安定化を図ることができる。
【００３７】
ここで、本願発明者等が、上記の効果を確認すべく下記のような分析を行なったので、その結果について下記の表１〜１０を用いて説明する。
【００３８】
本願発明者等は、ウッドクラブによるボールの飛距離に影響を与える要素として、「重心深度」と、「フェース部２の上下方向の慣性モーメント（ＵＤ  ＭＯＩ：以下「上下慣性モーメント」ともいう）」と、「打点位置（ｙ：フェース面においてボールを打撃する位置：スイートスポット位置を原点０（ゼロ）とし、「−（マイナス）」の記号はスイートスポットより下側であることを意味する）」との３つを選択し、これらの中のどの要素が最も飛距離に影響を与えるものであるかを重回帰分析により分析した。この結果を下記の表１および表２に示す。
【００３９】
【表１】
0005220455.tif 000002
【００４０】
【表２】
0005220455.tif 000003
【００４１】
表１に示すように、「打点位置」についての標準偏回帰係数βの値が最も大きいことから、上記３つの要素の中でボールの飛距離に最も影響を与える要素は、「打点位置」であることがわかる。また、表２に示すように、重相関Ｒの値が約０．８７であることから、表１に示すデータの信頼度が高いことがわかる。
【００４２】
本願発明者等は、ウッドクラブによりボールを打撃した際のボールの最大高さに影響を与える要素についても同様の分析を行なった。その結果を下記の表３および表４に示す。
【００４３】
【表３】
0005220455.tif 000004
【００４４】
【表４】
0005220455.tif 000005
【００４５】
表３に示すように、ボールの最大高さの場合も、「打点位置」についての標準偏回帰係数βの値が最も大きいことから、上記３つの要素の中でボールの最大高さに最も影響を与える要素も「打点位置」であることがわかる。また、表４に示すように、重相関Ｒの値が約０．９８であることから、表３に示すデータの信頼度も高いことがわかる。
【００４６】
また、本願発明者等は、ボールの飛距離に対し「重心深度」と「上下慣性モーメント（ＵＤ  ＭＯＩ）」とのいずれの影響が大きいかについても検討したので、その結果を下記の表５〜１０に示す。
【００４７】
【表５】
0005220455.tif 000006
【００４８】
【表６】
0005220455.tif 000007
【００４９】
表５に示すように、「上下慣性モーメント」についての標準偏回帰係数βの値が「重心深度」についての標準偏回帰係数βの値よりも大きいことから、「上下慣性モーメント」の方が「重心深度」よりもボールの飛距離に与える影響が大きいことがわかる。また、表６に示すように、重相関Ｒの値が約０．７９であることから、表５に示すデータの信頼度が高いことがわかる。
【００５０】
表５に示す結果は、「上下慣性モーメント」の範囲が１００ｇ・ｃｍ２以上３０００ｇ・ｃｍ２以下とした場合のものであるが、「上下慣性モーメント」の範囲を変化させて同様の分析を行なったので、その結果を表７〜１０に示す。
【００５１】
【表７】
0005220455.tif 000008
【００５２】
【表８】
0005220455.tif 000009
【００５３】
表７に示すように、「上下慣性モーメント」の範囲が５００ｇ・ｃｍ２以上３０００ｇ・ｃｍ２以下とした場合も、「上下慣性モーメント」についての標準偏回帰係数βの値が「重心深度」についての標準偏回帰係数βの値よりも大きいことから、「上下慣性モーメント」の方が「重心深度」よりもボールの飛距離に与える影響が大きいことがわかる。また、表８に示すように、重相関Ｒの値が約０．８９であることから、表７に示すデータの信頼度が高いことがわかる。
【００５４】
【表９】
0005220455.tif 000010
【００５５】
【表１０】
0005220455.tif 000011
【００５６】
表９に示すように、「上下慣性モーメント」の範囲が１０００ｇ・ｃｍ２以上３０００ｇ・ｃｍ２以下とした場合も、「上下慣性モーメント」についての標準偏回帰係数βの値が「重心深度」についての標準偏回帰係数βの値よりも大きいことから、「上下慣性モーメント」の方が「重心深度」よりもボールの飛距離に与える影響が大きいことがわかる。また、表１０に示すように、重相関Ｒの値が約０．９５であることから、表９に示すデータの信頼度が高いことがわかる。
【００５７】
さらに、表５，表７，表９の結果を対比すると、表９の「上下慣性モーメント」についての標準偏回帰係数βの値が最も大きく、また重相関Ｒの値も最も１に近いことから、表９に示すデータの信頼度が最も高いことがわかる。
【００５８】
以上の分析結果から、ボールの飛距離を向上するためには、「打点位置」をスイートスポットに近づけることが最も有効であるが、「上下慣性モーメント」の範囲を１０００ｇ・ｃｍ２以上３０００ｇ・ｃｍ２以下と大きくすることも有効であることがわかる。
【００５９】
本実施の形態のゴルフクラブヘッド１によれば、前述のようにフェース部２の上下方向の打点位置のバラツキを低減することができ、また上下慣性モーメントの範囲を１０００ｇ・ｃｍ２以上３０００ｇ・ｃｍ２以下程度と大きくすることができるので、ボールの飛距離の向上および安定化が可能となる。
【００６０】
再び図４を参照して、本実施の形態のゴルフクラブヘッド１では、バック側部分３ｂの前後方向の幅Ｗ２を５５ｍｍ程度とし、フェース側部分３ａの前後方向の幅Ｗ１を２５ｍｍ程度として、フェース側部分３ａの前後方向の幅Ｗ１をバック側部分３ｂの前後方向の幅Ｗ２よりも小さくしている。このようにフェース側部分３ａの前後方向の幅Ｗ１を小さくすることにより、前述のように打球時のソール部３と地面の接触状況をアイアンクラブのそれに近いものとすることができ、操作性が向上しかつ安定した打球の出るゴルフクラブとすることができる。
【００６１】
なお、フェース側部分３ａは、ソール部４底面の前方側端部と後方側端部を結ぶ直線の中点を通りゴルフクラブヘッド１のトゥ部８（図２参照）からヒール部９（図３参照）に向かうトゥ・ヒール方向に延びるソール部４底面の中心線よりもフェース部２側に位置する部分の少なくとも一部で構成される。これに対し、バック側部分３ｂは、上記中心線よりもバック部５側に位置する部分の少なくとも一部で構成される。
【００６２】
図３に示すように、フェース側部分３ａを、ゴルフクラブヘッド１のトゥ部からヒール部９に向かって延びる帯状部分で構成してもよい。この場合、バック側部分３ｂとフェース側部分３ａとの間に、トゥ部からヒール部９に向かって延びかつクラウン部４側に立上がる傾斜部を設ける。バック側部分３ｂは、該傾斜部の上端部からバック部５に達するように延在する。そして、上記のフェース側部分３ａと傾斜部とバック側部分３ｂとで、ソール部４の底面に段差部を形成している。
【００６３】
図２に示すように、本実施の形態のゴルフクラブヘッド１では、クラウン部４においてバック部５側に位置する部分に、凹部４ａを設けている。それにより、ゴルフクラブヘッド１の重心位置を低くすることができ、スイートスポット６の位置をさらに低くすることができる。
【００６４】
本実施の形態のゴルフクラブヘッド１のヘッド本体の材質としては、たとえば鋳造成形が可能となる材料であるチタン合金（たとえばαβチタン合金：Ｔｉ−６Ａｌ−４Ｖ等）を挙げることができる。他方、ヘッド本体に金属製パーツを装着する場合には、チタン合金やマグネシウム合金等からなる金属製板材等を使用することができる。また、ヘッド本体に非金属製パーツを装着する場合には、ＦＲＰ（Ｆｉｂｅｒ  Ｒｅｉｎｆｏｒｃｅｄ  Ｐｌａｓｔｉｃｓ）等の非金属製板材等も使用することができる。
【００６５】
フェース部２にフェースパーツを装着する場合には、該フェースパーツの材質として、αβチタン合金（Ｔｉ−６Ａｌ−４Ｖ）やβ系チタン合金（Ｔｉ−２２Ｖ−４Ａｌ，Ｔｉ−１５Ｍｏ−５Ｚｒ−４Ｖ−４Ａｌ等）を使用することができる。このフェースパーツ２０は、溶接等によりヘッド本体に接合すればよい。
【００６６】
また、クラウン部４にクラウンパーツを装着する場合には、ヘッド本体を構成する材料よりも低比重の金属材料からなるクラウンパーツを使用することができる。該クラウンパーツは、ヘッド本体に接着等の手法で固着することが考えられる。また、ＦＲＰ等の非金属材料のクラウンパーツを使用することも考えられる。このようにクラウンパーツを低比重の材料で作製することにより、ゴルフクラブヘッド１の低重心化を更に促進することができる。
【００６７】
次に、図５と図６を用いて、上述の実施の形態におけるゴルフクラブヘッド１の形状の変形例について説明する。
【００６８】
図５に示すように、クラウン部４の表面（上面）に上述の実施の形態の場合よりも大きな凹部を設けてもよい。それにより、さらにゴルフクラブヘッド１の低重心化を図ることができる。また、図５の例では、バック側部分３ｂの底面を、該バック側部分３ｂとフェース側部分３ａとの間に位置する傾斜部からバック部５に向かうにつれて徐々に高い位置になるように傾斜させている。これ以外の構成については、図４に示す場合と基本的に同様である。
【００６９】
図６に示すように、クラウン部４におけるバック部５側の表面（上面）の傾斜角度を大きくし、バック部５の近傍のゴルフクラブヘッド１の上下方向の厚みを小さくすることも考えられる。これ以外の構成については、図４に示す場合と基本的に同様である。
【００７０】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【図面の簡単な説明】
【００７１】
【図１】本発明の１つの実施の形態におけるゴルフクラブヘッドの正面図である。
【図２】図１に示すゴルフクラブヘッドの平面図である。
【図３】図１に示すゴルフクラブヘッドをソール部側から見た斜視図である。
【図４】図１に示すゴルフクラブヘッドの断面図である。
【図５】図１〜図４に示すゴルフクラブヘッドの変形例の断面図である。
【図６】図１〜図４に示すゴルフクラブヘッドの他の変形例の断面図である。
【図７】ゴルフクラブヘッドの各慣性モーメントを説明するための説明図である。
【符号の説明】
【００７２】
１  ゴルフクラブヘッド、２  フェース部、３  ソール部、３ａ  フェース側部分、３ｂ  バック側部分、４  クラウン部、４ａ  凹部、５  バック部、６  スイートスポット、７  重心、８  トゥ部、９  ヒール部。
【図１】
0005220455.tif 000012
【図２】
0005220455.tif 000013
【図３】
0005220455.tif 000014
【図４】
0005220455.tif 000015
【図５】
0005220455.tif 000016
【図６】
0005220455.tif 000017
【図７】
0005220455.tif 000018